(57)【要約】【課題】速やかに長さを調整して位置決めすることができる、長柄フィルム梱包装置を提供する。【解決手段】長柄フィルム梱包装置は、第１の杆体１０、第１の蓋体２０、第２の蓋体３０、第２の杆体４０及び位置決めピン５０を備える。第１の杆体１０は、調整杆１１を有する。調整杆１１の外周壁には、調整杆１１の軸方向に沿って位置決め溝１２が凹設される。位置決め溝１２は、調整杆１１の第１の端部から第２の端部へ向かって延びる。位置決め溝１２の溝底には、調整杆１１の軸方向に沿って複数の第１の位置決め孔１３が間隔をおいて形成される。第１の杆体１０の第２の端部には、第１のホルダ１４が固設される。第１の蓋体２０は、調整杆１１に嵌合され、第１の位置決め孔１３と第１のホルダ１４との間に位置する。第１の蓋体２０は、第１のホルダ１４に当接される。第２の蓋体３０は、調整杆１１に当接される。【選択図】図２
0003205289.tif 000002
【実用新案登録請求の範囲】
【請求項１】
第１の杆体、第１の蓋体、第２の蓋体、第２の杆体及び位置決めピンを備えた長柄フィルム梱包装置であって、
前記第１の杆体は、調整杆を有し、前記調整杆の外周壁には、前記調整杆の軸方向に沿って位置決め溝が凹設され、前記位置決め溝は、前記調整杆の第１の端部から第２の端部へ向かって延び、前記位置決め溝の溝底には、前記調整杆の軸方向に沿って複数の第１の位置決め孔が間隔をおいて形成され、前記第１の杆体の第２の端部には、第１のホルダが固設され、
前記第１の蓋体は、前記調整杆に嵌合され、前記第１の位置決め孔と前記第１のホルダとの間に位置し、前記第１の蓋体は、前記第１のホルダに当接され、
前記第２の蓋体は、前記調整杆に当接され、
前記第２の杆体は、ホルダを有し、前記ホルダは、前記調整杆を挿設する貫通孔を有し、前記ホルダの第１の端部に隣接した内周壁には、前記位置決め溝に対応するように位置決め部材が挿設され、前記ホルダの前記位置決め部材に隣接した箇所には、前記第１の位置決め孔に対応するように少なくとも１つの第２の位置決め孔が形成され、前記ホルダの前記第２の端部と前記第２の位置決め孔との間には、回転ノブが螺設され、前記ホルダには、第２のホルダが嵌設され、前記第２のホルダの一端は、前記回転ノブに当接され、前記第２のホルダの自由端は、前記第２の蓋体に当接され、前記第２のホルダの外周壁には、前記第１の位置決め孔及び前記第２の位置決め孔に対応するように長尺状孔が形成され、前記長尺状孔は、前記第２のホルダの軸方向に沿って延び、
前記位置決めピンは、前記第２のホルダの前記長尺状孔と、前記ホルダの前記第２の位置決め孔と、前記調整杆の前記第１の位置決め孔とに挿通され、
前記位置決め溝に前記位置決め部材が位置決めされると、前記長柄フィルム梱包装置の長さが速やかに調整され、前記位置決めピンの挿通により速やかに位置決めされ、様々な長さを有するストレッチフィルムロールに適用されることを特徴とする長柄フィルム梱包装置。
【請求項２】
前記第１の蓋体の前記第１の位置決め孔に対向する一側には、第１の嵌合ブロックが突設され、
前記第１の嵌合ブロックの頂面には、第２の嵌合ブロックが突設され、
前記第１の蓋体に対向する前記第２の蓋体の一側には、前記第１の嵌合ブロックに対応するように第３の嵌合ブロックが突設され、前記第３の嵌合ブロックの頂面には、前記第２の嵌合ブロックに対応するように第４の嵌合ブロックが突設されていることを特徴とする請求項１に記載の長柄フィルム梱包装置。
【請求項３】
前記第１の嵌合ブロック、前記第２の嵌合ブロック、前記第３の嵌合ブロック及び前記第４の嵌合ブロックは、略円盤状を呈し、
前記第１の嵌合ブロックの直径は、前記第２の嵌合ブロックの直径より大きく、
前記第３の嵌合ブロックの直径は、前記第４の嵌合ブロックの直径より大きく、
前記第１の嵌合ブロック及び前記第３の嵌合ブロックの直径は７．６２ｃｍであり、
前記第２の嵌合ブロック及び前記第４の嵌合ブロックの直径は５．０８ｃｍであり、
前記第２の嵌合ブロックの頂面には、第１の嵌合槽が凹設され、
前記第４の嵌合ブロックの頂面には、前記第１の嵌合ブロックに対応するように第２の嵌合槽が凹設され、
前記第１の嵌合槽及び前記第２の嵌合槽には、芯なしフィルムの変換器が嵌合されることを特徴とする請求項２に記載の長柄フィルム梱包装置。
【請求項４】
前記調整杆の第１の端部に対向する前記第２の蓋体の一側には、第１の凹溝が凹設され、
前記第２の位置決め孔に対向する前記回転ノブの一側には、第２の凹溝が凹設され、
前記第２のホルダの一端は、前記第２の凹溝に当接されることを特徴とする請求項１に記載の長柄フィルム梱包装置。
【請求項５】
前記位置決め部材はピンであり、
前記位置決め部材は、前記ホルダの外周壁と、前記ホルダの内周壁とに挿通されることを特徴とする請求項１に記載の長柄フィルム梱包装置。
【考案の詳細な説明】
【技術分野】
【０００１】
本考案は、フィルム梱包装置に関するものであり、さらに詳しくは、長柄フィルム梱包装置（ｌｏｎｇ−ｈａｎｄｌｅ  ｆｉｌｍ  ｐａｃｋｉｎｇ  ｄｅｖｉｃｅ）に関するものである。
【背景技術】
【０００２】
物品を保管したり搬送したりする際、物品が揺れたり落下したりして損壊することを防ぐために、フィルム梱包装置により物品を梱包することが一般的である。フィルム梱包装置には構成要素としてベースが備えられている。ベースには、嵌合杆が螺設され、ユーザが物品を梱包する際、嵌合杆にはフィルムロールが外嵌され、フィルムロールには、フィルムが巻き付けられている。そのため、ユーザは、まず、フィルムを引っ張り出してベースを握持し、フィルム梱包装置により梱包する物品を引っ張って梱包し、梱包作業を完了する。しかし、ユーザが嵌合杆より短いフィルムロールを取り付ける場合、フィルムの張力が不足し、梱包作業の難易度が高まる上、嵌合杆より長いフィルムロールを取り付けることができない虞があり、従来の梱包装置ではフィルムロールの長さに応じてフィルムの長さを調整することができず、容易に使用できないという欠点があった。
【考案の概要】
【考案が解決しようとする課題】
【０００３】
従って、本考案の課題は、異なる長さのストレッチフィルムロールに適用することができ、速やかに長さを調整して位置決めすることができ、実用的で取付けが容易である長所を有する、長柄フィルム梱包装置を提供することにある。
【課題を解決するための手段】
【０００４】
そこで、本考案者は、前記の本考案の課題を解決するために鋭意検討を重ねた結果、後記のように位置決めピンを挿通することにより位置決め部材を位置決め溝にセットすることにより迅速にフィルム包装装置の長さを調整できることに着目し、本考案に想到するに至った。
すなわち、本考案の主な目的は、位置決め溝に位置決め部材を位置決めし、長柄フィルム梱包装置の長さを速やかに調整し、位置決めピンを挿通して速やかに位置決めし、長柄フィルム梱包装置を異なる長さのストレッチフィルムロールに適用することができる上、ストレッチフィルムロールを取り付けてから長柄フィルム梱包装置の長さを調整するため、速やかに長さを調整して位置決めすることができ、実用的で取付けが容易である長所を有する、長柄フィルム梱包装置を提供することにある。
かくして、本考案の要旨は次の（１）〜（４）の通りである
【０００５】
（１）第１の杆体、第１の蓋体、第２の蓋体、第２の杆体及び位置決めピンを備えた長柄フィルム梱包装置であって、
前記第１の杆体は、調整杆を有し、前記調整杆の外周壁には、前記調整杆の軸方向に沿って位置決め溝が凹設され、前記位置決め溝は、前記調整杆の第１の端部から第２の端部へ向かって延び、前記位置決め溝の溝底には、前記調整杆の軸方向に沿って複数の第１の位置決め孔が間隔をおいて形成され、前記第１の杆体の第２の端部には、第１のホルダが固設され、
前記第１の蓋体は、前記調整杆に嵌合され、前記第１の位置決め孔と前記第１のホルダとの間に位置し、前記第１の蓋体は、前記第１のホルダに当接され、
前記第２の蓋体は、前記調整杆に当接され、
前記第２の杆体は、ホルダを有し、前記ホルダは、前記調整杆を挿設する貫通孔を有し、前記ホルダの第１の端部に隣接した内周壁には、前記位置決め溝に対応するように位置決め部材が挿設され、前記ホルダの前記位置決め部材に隣接した箇所には、前記第１の位置決め孔に対応するように少なくとも１つの第２の位置決め孔が形成され、前記ホルダの前記第２の端部と前記第２の位置決め孔との間には、回転ノブが螺設され、前記ホルダには、第２のホルダが嵌設され、前記第２のホルダの一端は、前記回転ノブに当接され、前記第２のホルダの自由端は、前記第２の蓋体に当接され、前記第２のホルダの外周壁には、前記第１の位置決め孔及び前記第２の位置決め孔に対応するように長尺状孔が形成され、前記長尺状孔は、前記第２のホルダの軸方向に沿って延び、
前記位置決めピンは、前記第２のホルダの前記長尺状孔と、前記ホルダの前記第２の位置決め孔と、前記調整杆の前記第１の位置決め孔とに挿通され、
前記位置決め溝に前記位置決め部材が位置決めされると、前記長柄フィルム梱包装置の長さが速やかに調整され、前記位置決めピンの挿通により速やかに位置決めされ、様々な長さを有するストレッチフィルムロールに適用されることを特徴とする長柄フィルム梱包装置。
【０００６】
（２）前記第１の蓋体の前記第１の位置決め孔に対向する一側には、第１の嵌合ブロックが突設され、
前記第１の嵌合ブロックの頂面には、第２の嵌合ブロックが突設され、
前記第１の蓋体に対向する前記第２の蓋体の一側には、前記第１の嵌合ブロックに対応するように第３の嵌合ブロックが突設され、前記第３の嵌合ブロックの頂面には、前記第２の嵌合ブロックに対応するように第４の嵌合ブロックが突設されていることを特徴とする前記（１）に記載の長柄フィルム梱包装置。
【０００７】
（３）前記第１の嵌合ブロック、前記第２の嵌合ブロック、前記第３の嵌合ブロック及び前記第４の嵌合ブロックは、略円盤状を呈し、
前記第１の嵌合ブロックの直径は、前記第２の嵌合ブロックの直径より大きく、
前記第３の嵌合ブロックの直径は、前記第４の嵌合ブロックの直径より大きく、
前記第１の嵌合ブロック及び前記第３の嵌合ブロックの直径は７．６２ｃｍであり、
前記第２の嵌合ブロック及び前記第４の嵌合ブロックの直径は５．０８ｃｍであり、
前記第２の嵌合ブロックの頂面には、第１の嵌合槽が凹設され、
前記第４の嵌合ブロックの頂面には、前記第１の嵌合ブロックに対応するように第２の嵌合槽が凹設され、
前記第１の嵌合槽及び前記第２の嵌合槽には、芯なしフィルムの変換器が嵌合されることを特徴とする前記（２）に記載の長柄フィルム梱包装置。
【０００８】
（４）前記調整杆の第１の端部に対向する前記第２の蓋体の一側には、第１の凹溝が凹設され、
前記第２の位置決め孔に対向する前記回転ノブの一側には、第２の凹溝が凹設され、
前記第２のホルダの一端は、前記第２の凹溝に当接されることを特徴とする前記（１）に記載の長柄フィルム梱包装置。
【０００９】
（５）前記位置決め部材はピンであり、
前記位置決め部材は、前記ホルダの外周壁と、前記ホルダの内周壁とに挿通されることを特徴とする前記（１）に記載の長柄フィルム梱包装置。
【考案の効果】
【００１０】
本考案は、前記の通りの構成からなり、異なる長さのストレッチフィルムロールに適用することができ、ストレッチフィルムロールを取り付けてから、フィルムの長さを迅速に調整することができる。また、異なる長さ及び直径を有するストレッチフィルムロールを嵌着することができ、ストレッチフィルム・芯なしロールフィルムに適用なこともできるので環境汚染の防止にも有効である。
【図面の簡単な説明】
【００１１】
【図１】図１は、本考案の一実施形態に係る長柄フィルム梱包装置を示す斜視図である。
【図２】図２は、本考案の一実施形態に係る長柄フィルム梱包装置を示す分解斜視図である。
【図３】図３は、本考案の一実施形態に係る長柄フィルム梱包装置を示す部分断面図である。
【図４】図４は、本考案の第１実施形態に係る長柄フィルム梱包装置を組立てる前の状態を示す側面図である。
【図５】図５は、本考案の第１実施形態に係る長柄フィルム梱包装置を組立てた後の状態を示す部分断面図である。
【図６】図６は、本考案の第１実施形態に係る長柄フィルム梱包装置が張力を調整するときの状態を示す断面図である。
【図７】図７は、本考案の第２実施形態に係る長柄フィルム梱包装置を示す部分断面図である。
【図８】図８は、本考案の第３実施形態に係る長柄フィルム梱包装置を示す分解斜視図である。
【考案を実施するための形態】
【００１２】
図１〜図３を参照する。図１は、本考案の一実施形態に係る長柄フィルム梱包装置を示す斜視図である。図２は、本考案の一実施形態に係る長柄フィルム梱包装置を示す分解斜視図である。図３は、本考案の一実施形態に係る長柄フィルム梱包装置を示す部分断面図である。図１〜図３に示すように、本考案の一実施形態に係る長柄フィルム梱包装置１００は、少なくとも第１の杆体１０、第１の蓋体２０、第２の蓋体３０、第２の杆体４０及び位置決めピン５０から構成されてなる。
【００１３】
第１の杆体１０は、調整杆１１を有する。調整杆１１の外周壁には、調整杆１１の軸方向に沿って位置決め溝１２が凹設されている。位置決め溝１２は、調整杆１１の第１の端部から第２の端部へ向かって延びる。位置決め溝１２の溝底は、調整杆１１の軸方向に沿って複数の第１の位置決め孔１３が間隔をおいて形成されている。第１の杆体１０の第２の端部には、第１のホルダ１４が固設されている。
【００１４】
第１の蓋体２０は、調整杆１１に嵌合され、第１の位置決め孔１３と第１のホルダ１４との間に位置する。第１の蓋体２０は、第１のホルダ１４に当接される。本実施形態において、第１の位置決め孔１３に対向する第１の蓋体２０の一側には、円盤状の第１の嵌合ブロック２１が突設され、第１の嵌合ブロック２１の頂面には、円盤状の第２の嵌合ブロック２２が突設される。第１の嵌合ブロック２１の直径は、第２の嵌合ブロック２２の直径より大きい。第１の嵌合ブロック２１の直径は約７．６２ｃｍ（３インチ）であり、第２の嵌合ブロック２２の直径は約５．０８ｃｍ（２インチ）である。第２の嵌合ブロック２２の頂面には、第１の嵌合槽２３が凹設されている。
【００１５】
第２の蓋体３０は、調整杆１１に嵌合され、調整杆１１の第１の端部に対向する第２の蓋体３０の一側には、第１の凹溝３１が凹設される。本実施形態において、第１の蓋体２０に対向する第２の蓋体３０の一側には、第１の嵌合ブロック２１に対応するように円盤状の第３の嵌合ブロック３２が突設される。第３の嵌合ブロック３２の頂面には、第２の嵌合ブロック２２に対応するように円盤状の第４の嵌合ブロック３３が突設されている。第３の嵌合ブロック３２の直径は、第４の嵌合ブロック３３の直径より大きい。第３の嵌合ブロック３２の直径は約７．６２ｃｍであり、第４の嵌合ブロック３３の直径は約５．０８ｃｍである。第４の嵌合ブロック３３の頂面には、第１の嵌合槽２３に対応する第２の嵌合ブロック３４が凹設されている。
【００１６】
第２の杆体４０は、ホルダ４１を有する。ホルダ４１は、調整杆１１を挿設する貫通孔４２を有する。ホルダ４１の第１の端部に隣接した内周壁には、位置決め溝１２に対応するように位置決め部材４３が配設されている。本実施形態において位置決め部材４３はピンである。位置決め部材４３は、ホルダ４１の外周壁と、ホルダ４１の内周壁とに挿通されている。ホルダ４１の位置決め部材４３に隣接した箇所には、第１の位置決め孔１３に対応するように少なくとも１つの第２の位置決め孔４４が形成されている。ホルダ４１の第２の端部と第２の位置決め孔４４との間には、回転ノブ４５が螺設されている。回転ノブ４５の第２の位置決め孔４４に対向する一側には、第２の凹溝４５１が凹設されている。また、ホルダ４１には、第２のホルダ４６が嵌設されている。第２のホルダ４６の一端は、回転ノブ４５の第２の凹溝４５１に当接される。第２のホルダ４６の自由端は、第２の蓋体３０の第１の凹溝３１に当接される。第２のホルダ４６の外周壁には、第１の位置決め孔１３及び第２の位置決め孔４４に対応するように長尺状孔４６１が形成されている。長尺状孔４６１は、第２のホルダ４６の軸方向に沿って延びている。
【００１７】
位置決めピン５０は、第２のホルダ４６の長尺状孔４６１と、ホルダ４１の第２の位置決め孔４４と、調整杆１１の第１の位置決め孔１３とに挿設される。
【００１８】
（第１実施形態）
図４及び図５を参照する。図４は、本考案の第１実施形態に係る長柄フィルム梱包装置を組立てる前の状態を示す側面図である。図５は、本考案の第１実施形態に係る長柄フィルム梱包装置を組立てた後の状態を示す部分断面図である。図４及び図５と併せて図１〜図３を参照する。ユーザが長柄フィルム梱包装置１００を使用して物品をフィルム梱包する際、まず、ストレッチフィルムロール２００を調整杆１１に嵌設させる。ストレッチフィルムロール２００には、ストレッチフィルム２０１が巻き付けられる。本実施形態においてストレッチフィルムロール２００のサイズは約７．６２ｃｍである。ストレッチフィルムロール２００の一端は、第１の蓋体２０の第１の嵌合ブロック２１に係合され、第２の蓋体３０の第３の嵌合ブロック３２がストレッチフィルムロール２００の第２の端部に係合され、続いて、位置決め部材４３を調整杆１１の位置決め溝１２に位置合わせし、ホルダ４１が位置決め部材４３を介して調整杆１１に嵌着されて位置決めされると、ユーザは、ストレッチフィルムロール２００の長さに応じてホルダ４１を移動させる。ホルダ４１を調整して位置決めする際、第２のホルダ４６の一側が第２の蓋体３０の第１の凹溝３１に当接され、位置決めピン５０が第２のホルダ４６の長尺状孔４６１に挿設され、ホルダ４１の第２の位置決め孔４４と、調整杆１１の第１の位置決め孔１３とに挿通されると、ストレッチフィルムロール２００の取り付け作業が完了する。その後、ユーザがストレッチフィルムロール２００のストレッチフィルム２０１を引っ張り出すときには、第１のホルダ１４及び第２のホルダ４６を両手でそれぞれ握持し、長柄フィルム梱包装置１００によりフィルム梱包する物品を引っ張って移動させて梱包し、フィルム梱包作業を行う。
【００１９】
ホルダ４１の位置決め部材４３を調整杆１１の位置決め溝１２に位置合わせすると、速やかに位置決めさせることができる上、調整杆１１及びホルダ４１を取り付けることができ、使用するときも回転せずに、ストレッチフィルムロール２００に応じて長柄フィルム梱包装置１００の長さを調整することができる。
【００２０】
図６を併せて参照する。図６は、本考案の第１実施形態に係る長柄フィルム梱包装置が張力を調整するときの状態を示す断面図である。図６に示すように、本考案の一実施形態に係る長柄フィルム梱包装置１００の張力を高めるときは、回転ノブ４５をストレッチフィルムロール２００へ向けて回転させ、回転ノブ４５を第２のホルダ４６に当接させる。第２のホルダ４６の長尺状孔４６１を介して第２のホルダ４６が押圧され、第２の蓋体３０へ向かって移動されると、第２のホルダ４６が位置決めピン５０、ホルダ４１及び調整杆１１に対して軸方向で移動し、第２の蓋体３０及びストレッチフィルムロール２００を押圧し、長柄フィルム梱包装置１００の張力を高め、フィルム梱包を円滑かつ容易に行うことができる。
【００２１】
ここで、第２のホルダ４６の長尺状孔４６１に位置決めピン５０を挿通し、ホルダ４１を第２の位置決め孔４４と、調整杆１１の第１の位置決め孔１３とに挿通して第２のホルダ４６を位置決めし、第２のホルダ４６を軸方向で伸縮移動させると、調整杆１１はホルダ４１に対して相対的に回転しないため、ストレッチフィルムロール２００が繰り出されるときにも張力を維持することができる。
【００２２】
本実施形態において、第１の杆体１０の第２の端部が第１のホルダ１４に固設されるため、長柄フィルム梱包装置１００が取り付けられる過程か使用される過程で、ストレッチフィルムロール２００を固定し続けることができ、ユーザが握持又は操作する際の安全性を確保することができる。
【００２３】
（第２実施形態）
図７を参照する。図７は、本考案の第２実施形態に係る長柄フィルム梱包装置を示す部分断面図である。図７に示すように、本考案の第２実施形態に係る長柄フィルム梱包装置の組立ステップは、第１実施形態と異なり、ストレッチフィルムロール２００のサイズは約５．０８ｃｍであり、ユーザは、ストレッチフィルムロール２００の両端に第２の嵌合ブロック２２及び第４の嵌合ブロック３３をそれぞれ取り付け、約５．０８ｃｍのストレッチフィルムロール２００に適用することができる。
【００２４】
（第３実施形態）
図８を参照する。図８は、本考案の第３実施形態に係る長柄フィルム梱包装置を示す分解斜視図である。図８に示すように、本考案の第３実施形態に係る長柄フィルム梱包装置の組立ステップは、第１実施形態と異なり、変換器３００の両端に第１の嵌合槽２３及び第２の嵌合ブロック３４がそれぞれ取り付けられる。変換器３００には、芯なしロールフィルムが嵌着される。本考案は、異なる長さ及び直径を有するストレッチフィルムロール２００を嵌着させることができる上、ストレッチフィルム・芯なしロールフィルムに適用することもできるため、環境汚染を防ぐ。
【００２５】
上述したことから分かるように、本考案の長柄フィルム梱包装置は、位置決め部材４３を位置決め溝１２に位置決めし、長柄フィルム梱包装置１００の長さを速やかに調整し、位置決めピン５０を挿設することにより、速やかに位置決めし、長柄フィルム梱包装置１００を異なる長さのストレッチフィルムロール２００に適用することができる上、ストレッチフィルムロール２００を取り付けてから、長柄フィルム梱包装置１００の長さを調整するため、速やかに長さを調整して速やかに位置決めし、取付けを容易に行うことができるという長所を有する。
【符号の説明】
【００２６】
１０  第１の杆体
１１  調整杆
１２  位置決め溝
１３  第１の位置決め孔
１４  第１のホルダ
２０  第１の蓋体
２１  第１の嵌合ブロック
２２  第２の嵌合ブロック
２３  第１の嵌合槽
３０  第２の蓋体
３１  第１の凹溝
３２  第３の嵌合ブロック
３３  第４の嵌合ブロック
３４  第２の嵌合ブロック
４０  第２の杆体
４１  ホルダ
４２  貫通孔
４３  位置決め部材
４４  第２の位置決め孔
４５  回転ノブ
４６  第２のホルダ
５０  位置決めピン
１００  長柄フィルム梱包装置
２００  ストレッチフィルムロール
２０１  ストレッチフィルム
３００  変換器
４５１  第２の凹溝
４６１  長尺状孔
【図１】
0003205289.tif 000003
【図２】
0003205289.tif 000004
【図３】
0003205289.tif 000005
【図４】
0003205289.tif 000006
【図５】
0003205289.tif 000007
【図６】
0003205289.tif 000008
【図７】
0003205289.tif 000009
【図８】
0003205289.tif 000010